(57)【要約】      （修正有）【課題】電圧測定装置の動作を検査するための検証ユニットを提供する。【解決手段】検証ユニット１０２は接触及び非接触の電圧測定装置の試験を可能にする携帯型検査済み電圧源を提供する。検証ユニットは、検査済みＡＣ電圧出力又はＤＣ電圧出力を提供する。その電圧出力は、固定されてもよく、又はユーザーが選択可能であってもよい。検証ユニットは、検証ユニットが実際に検証ユニットの規格内で出力電圧を供給していることを視覚式表示器ＬＥＤ１３６ａ，ｂ及び／又は可聴式又は触覚式表示器で提供する。その表示器で、ユーザーは、検証ユニットが正常に動作しており、電圧測定装置を試験する準備ができていることを認知する。検証ユニットが所定の電圧出力を提供できない場合も表示器で認知する。【選択図】図４
2019053052.tif 000002
【特許請求の範囲】
【請求項１】
別個の電圧測定装置の動作を検査するための検証ユニットであって、前記検証ユニットは、
ハウジングと、
動作中に、ＡＣ出力ノードでＡＣ電圧を提供する交流（ＡＣ）電圧源と、
別個の接触電圧測定装置の試験器具プローブにアクセス可能である接触ＡＣ／ＤＣ正ポートと、
動作中に、ＡＣ電圧を入力として受け取り、ＤＣ電圧を出力するＡＣ−ＤＣ変換器回路と、
動作中に、前記ＡＣ電圧源の前記ＡＣ出力ノードを、前記接触ＡＣ／ＤＣ正ポートに直接的に、又は前記ＡＣ−ＤＣ変換器回路を介して前記接触ＡＣ／ＤＣ正ポートに間接的に、のいずれか一方で選択的に電気的に結合する少なくとも１つのＡＣ／ＤＣスイッチと、
前記ハウジングのセンサ受入部分で前記ハウジング内に配設された電界検知導体であって、前記ＡＣ出力ノードに電気的に結合されている、電界検知導体と、
モード選択スイッチと、
前記モード選択スイッチ、前記ＡＣ電圧源、及び前記少なくとも１つのＡＣ／ＤＣスイッチに動作可能に結合されたコントローラと、を含み、動作中に、前記コントローラは、
前記モード選択スイッチを介して、動作のモードの選択を受け取ることであって、動作の前記モードが、少なくともＤＣ電圧モード又はＡＣ電圧モードを含む、受け取ることと、
動作の前記モードの前記受け取った選択に少なくとも部分的に基づいて前記少なくとも１つのＡＣ／ＤＣスイッチを制御することと、
前記ＡＣ電圧源に前記ＡＣ出力ノードでＡＣ電圧を提供させることと、を行う、検証ユニット。
【請求項２】
前記センサ受入部分が、前記電界検知導体の少なくとも一部分を含有する中央隆起部分を含み、前記中央隆起部分は、非接触電圧測定装置のプローブ端を受け入れるようにサイズ決め及び寸法決めされている、請求項１に記載の検証ユニット。
【請求項３】
前記ＡＣ電圧源が、デジタル−アナログ変換器、増幅器、及び変圧器を含み、前記デジタル−アナログ変換器の出力が、前記増幅器の入力に結合され、前記増幅器の出力が、前記変圧器の入力に結合され、前記ＡＣ出力ノードが、前記変圧器の出力を含む、請求項１に記載の検証ユニット。
【請求項４】
前記コントローラに動作可能に結合されたオンスイッチを更に含み、動作中に、前記オンスイッチが、オペレータが前記検証ユニットのポートと相互作用することに応答して起動され、前記コントローラが、前記ＡＣ電圧源に、前記オンスイッチが起動された後に所定期間、前記ＡＣ電圧を提供させる、請求項１に記載の検証ユニット。
【請求項５】
前記検証ユニットの基準ノードに電気的に結合された電界検知指ポートを更に含み、前記電界検知指ポートが、前記検証ユニットによって検査されている別個の非接触電圧測定装置のオペレータの指に、前記オペレータが前記非接触電圧測定装置を把持している間アクセス可能である、請求項１に記載の検証ユニット。
【請求項６】
前記コントローラに動作可能に結合された複数のオンスイッチを更に含み、前記オンスイッチの各々が、前記検証ユニットの異なるポートと関連付けられ、動作中に、前記オンスイッチの各々は、オペレータが前記検証ユニットの前記それぞれのポートのうちの１つと相互作用することに応答して起動され、前記コントローラは、前記ＡＣ電圧源に、前記オンスイッチのいずれかの起動の後に所定期間、前記ＡＣ電圧を提供させる、請求項５に記載の検証ユニット。
【請求項７】
前記検証ユニットの基準ノードに電気的に結合された電界検知プローブポートを更に含み、前記電界検知プローブポートは、前記検証ユニットによって検査されている別個の非接触電圧測定装置の試験器具プローブにアクセス可能である、請求項１に記載の検証ユニット。
【請求項８】
前記コントローラに動作可能に結合された複数のオンスイッチを更に含み、前記オンスイッチの各々が、前記検証ユニットの異なるポートと関連付けられ、動作中に、前記オンスイッチの各々は、オペレータが前記検証ユニットの前記それぞれのポートのうちの１つと相互作用することに応答して起動され、前記コントローラは、前記ＡＣ電圧源に、前記オンスイッチのいずれかの起動の後に所定期間、前記ＡＣ電圧を提供させる、請求項７に記載の検証ユニット。
【請求項９】
前記少なくとも１つのＡＣ／ＤＣスイッチが、前記ＡＣ−ＤＣ変換器回路の入力に結合された第１のＡＣ／ＤＣスイッチと、前記ＡＣ−ＤＣ変換器回路の出力に結合された第２のＡＣ／ＤＣスイッチと、を含む、請求項１に記載の検証ユニット。
【請求項１０】
前記コントローラに結合された表示器を更に含み、動作中に、前記コントローラは、前記検証ユニットの動作状態の表示を提供するように前記表示器を制御する、請求項１に記載の検証ユニット。
【請求項１１】
前記表示器が、複数の発光ダイオード（ＬＥＤ）を含む、請求項１０に記載の検証ユニット。
【請求項１２】
前記ＡＣ出力ノード及び前記コントローラに動作可能に結合されたフィードバック回路を更に含み、動作中に、前記コントローラは、前記フィードバック回路からフィードバック信号を受け取り、前記受け取ったフィードバック信号に少なくとも部分的に基づいて前記ＡＣ電圧源の前記動作を制御する、請求項１に記載の検証ユニット。
【請求項１３】
前記ＡＣ−ＤＣ変換器回路が、少なくとも１つの整流ダイオード及び少なくとも１つのフィルタコンデンサを含む、請求項１に記載の検証ユニット。
【請求項１４】
ＡＣ電圧モードの選択を受け取ると、前記コントローラが、前記ＡＣ電圧源の前記ＡＣ出力ノードを前記接触ＡＣ／ＤＣ正ポートに直接的に電気的に結合するように前記少なくとも１つのＡＣ／ＤＣスイッチを制御し、ＤＣ電圧モードの選択を受け取ると、前記コントローラが、前記ＡＣ電圧源の前記ＡＣ出力ノードを、前記ＡＣ−ＤＣ変換器回路を介して前記接触ＡＣ／ＤＣ正ポートに間接的に電気的に結合するように前記少なくとも１つのＡＣ／ＤＣスイッチを制御する、請求項１に記載の検証ユニット。
【請求項１５】
別個の電圧測定装置の動作を検査するための検証ユニットであって、前記検証ユニットは、
動作中に、ＡＣ出力ノードでＡＣ電圧を提供する交流（ＡＣ）電圧源と、
接触ＡＣ／ＤＣ正ポートと、
動作中に、ＡＣ電圧を入力として受け取り、ＤＣ電圧を出力するＡＣ−ＤＣ変換器回路と、
前記ＡＣ出力ノードと前記接触ＡＣ／ＤＣ正ポートとの間で前記ＡＣ−ＤＣ変換器回路を選択的に電気的に結合する少なくとも１つのＡＣ／ＤＣスイッチと、
前記ＡＣ出力ノードに電気的に結合された電界検知導体と、
モード選択スイッチと、
前記モード選択スイッチ、前記ＡＣ電圧源、及び前記少なくとも１つのＡＣ／ＤＣスイッチに動作可能に結合された制御回路と、を含み、動作中に、前記制御回路は、
前記モード選択スイッチを介して、動作のモードの選択を受け取ることであって、動作の前記モードが、少なくともＤＣ電圧モード又はＡＣ電圧モードを含む、受け取ることと、
動作のモードの前記受け取った選択に少なくとも部分的に基づいて前記少なくとも１つのＡＣ／ＤＣスイッチを制御することと、
前記ＡＣ電圧源に前記ＡＣ出力ノードでＡＣ電圧を提供させることと、を行う、検証ユニット。
【請求項１６】
前記制御回路が、前記ＡＣ電圧源に、前記検証ユニットのポートとのユーザーインタラクションが検出された後、ある期間、前記ＡＣ出力ノードでＡＣ電圧を提供させる、請求項１５に記載の検証ユニット。
【請求項１７】
前記期間が、１０秒〜６０秒である、請求項１６に記載の検証ユニット。
【請求項１８】
前記ＡＣ電圧源が、デジタル−アナログ変換器、増幅器、及び変圧器を含み、前記デジタル−アナログ変換器の出力が、前記増幅器の入力に結合され、前記増幅器の出力が、前記変圧器の入力に結合され、前記ＡＣ出力ノードが、前記変圧器の出力を含む、請求項１５に記載の検証ユニット。
【請求項１９】
前記検証ユニットの基準ノードに電気的に結合された電界検知指ポートであって、前記電界検知指ポートが、別個の非接触電圧測定装置のオペレータの指に、前記非接触電圧測定装置を把持している間アクセス可能である、電界検知指ポートと、
前記検証ユニットの基準ノードに電気的に結合された電界検知プローブポートであって、前記電界検知プローブポートが、別個の非接触電圧測定装置の試験器具プローブにアクセス可能である、電界検知プローブポートと、を更に含む、請求項１５に記載の検証ユニット。
【請求項２０】
前記制御回路に結合された表示器を更に含み、動作中に、前記制御回路は、前記検証ユニットの動作状態の表示を提供するように前記表示器を制御する、請求項１５に記載の検証ユニット。
【請求項２１】
キットであって、
電圧測定装置と、
前記電圧測定装置の動作を検査するための検証ユニットと、を含み、前記検証ユニットは、
ハウジングと、
動作中に、ＡＣ出力ノードでＡＣ電圧を提供する交流（ＡＣ）電圧源と、
別個の接触電圧測定装置の試験器具プローブにアクセス可能である接触ＡＣ／ＤＣ正ポートと、
動作中に、ＡＣ電圧を入力として受け取り、ＤＣ電圧を出力するＡＣ−ＤＣ変換器回路と、
動作中に、前記ＡＣ電圧源の前記ＡＣ出力ノードを、前記接触ＡＣ／ＤＣ正ポートに直接的に、又は前記ＡＣ−ＤＣ変換器回路を介して前記接触ＡＣ／ＤＣ正ポートに間接的に、のいずれか一方で選択的に電気的に結合する少なくとも１つのＡＣ／ＤＣスイッチと、
前記ハウジングのセンサ受入部分で前記ハウジング内に配設された電界検知導体であって、前記センサ受入部分が、前記電圧測定装置の少なくとも一部分を受け入れるように構成及び配置され、前記電界検知導体が、前記ＡＣ出力ノードに電気的に結合されている、電界検知導体と、
モード選択スイッチと、
前記モード選択スイッチ、前記ＡＣ電圧源、及び前記少なくとも１つのＡＣ／ＤＣスイッチに動作可能に結合されたコントローラと、を含み、動作中に、前記コントローラは、
前記モード選択スイッチを介して、動作のモードの選択を受け取り、動作の前記モードが、少なくともＤＣ電圧モード又はＡＣ電圧モードを含み、
動作の前記モードの前記受け取った選択に少なくとも部分的に基づいて前記少なくとも１つのＡＣ／ＤＣスイッチを制御し、
前記ＡＣ電圧源に前記ＡＣ出力ノードでＡＣ電圧を提供させる、キット。
【請求項２２】
前記電圧測定装置が、接触電圧測定装置、又は絶縁線内の電圧を前記絶縁線内の導体とガルバニック接触することなく測定可能である非接触電圧測定装置のうちの少なくとも一方を含む、請求項２１に記載のキット。
【発明の詳細な説明】
【技術分野】
【０００１】
本開示は、概して、電気特性の測定に関し、より詳細には、交流（alternating current、ＡＣ）及び／又は直流（direct current、ＤＣ）電圧の接触及び非接触の測定のための検証ユニットに関する。
【背景技術】
【０００２】
電圧計は、電気回路内の電圧を測定するのに使用される器具である。１つを超える電気的特性を測定する器具は、マルチメータ又はデジタルマルチメータ（digital multimeter、ＤＭＭ）と呼ばれ、サービス用途、トラブルシューティング用途、及びメンテナンス用途に一般に必要とされるいくつかのパラメータを測定するように動作する。そのようなパラメータとしては、典型的には交流電圧及び電流、直流電圧及び電流、並びに抵抗又は継続性が挙げられる。電力特性、周波数、容量、及び温度など、他のパラメータも特定の用途の要件を満たすために測定することができる。
【０００３】
ＡＣ電圧を測定する従来の電圧計又はマルチメータを使用するときは、２つの測定電極又はプローブを導体とガルバニック接触させることが必要であり、多くの場合、絶縁電線の絶縁部分を切り離すこと、又はあらかじめ測定用端子を提供することが必要である。「非接触」電圧測定装置は、回路とのガルバニック接触を必要とすることなく、電圧（例えば、ＡＣ電圧）を検出するために使用されることがある。
【先行技術文献】
【特許文献】
【０００４】
【特許文献１】オーストラリア特許出願２０１０１００８９０号
【発明の概要】
【課題を解決するための手段】
【０００５】
別個の電圧測定装置の動作を検査するための検証ユニットは、ハウジングと、動作中に、ＡＣ出力ノードでＡＣ電圧を提供する交流（ＡＣ）電圧源と、別個の接触電圧測定装置の試験器具プローブにアクセス可能である接触ＡＣ／ＤＣ正ポートと、動作中に、ＡＣ電圧を入力として受け取り、ＤＣ電圧を出力するＡＣ−ＤＣ変換器回路と、動作中に、ＡＣ電圧源のＡＣ出力ノードを、接触ＡＣ／ＤＣ正ポートに直接的に、又はＡＣ−ＤＣ変換器回路を介して接触ＡＣ／ＤＣ正ポートに間接的に、のいずれか一方で選択的に電気的に結合する少なくとも１つのＡＣ／ＤＣスイッチと、ハウジングのセンサ受入部分でハウジング内に配設された電界検知導体であって、ＡＣ出力ノードに電気的に結合されている、電界検知導体と、モード選択スイッチと、モード選択スイッチ、ＡＣ電圧源、及び少なくとも１つのＡＣ／ＤＣスイッチに動作可能に結合されたコントローラと、を含み、動作中に、コントローラは、モード選択スイッチを介して、動作のモードの選択を受け取ることであって、動作のモードが、少なくともＤＣ電圧モード又はＡＣ電圧モードを含む、受け取ることと、動作のモードの受け取った選択に少なくとも部分的に基づいて少なくとも１つのＡＣ／ＤＣスイッチを制御することと、ＡＣ電圧源にＡＣ電圧をＡＣ出力ノードで提供させることと、を行うと、要約され得る。センサ受入部分は、電界検知導体の少なくとも一部分を含有する中央隆起部分を含み得、中央隆起部分は、非接触電圧測定装置のプローブ端を受け入れるようにサイズ決め及び寸法決めされ得る。ＡＣ電圧源は、デジタル−アナログ変換器、増幅器、及び変圧器を含み得、デジタル−アナログ変換器の出力は、増幅器の入力に結合され、増幅器の出力は、変圧器の入力に結合され、ＡＣ出力ノードは、変圧器の出力を含む。
【０００６】
検証ユニットは、コントローラに動作可能に結合されたオンスイッチを更に含み得、動作中に、オンスイッチは、オペレータが検証ユニットのポートと相互作用することに応答して起動され、コントローラは、ＡＣ電圧源に、オンスイッチが起動された後に所定期間、ＡＣ電圧を提供させる。
【０００７】
検証ユニットは、検証ユニットの基準ノードに電気的に結合された電界検知指ポートを更に含み得、電界検知指ポートは、検証ユニットによって検査されている別個の非接触電圧測定装置のオペレータの指に、オペレータが非接触電圧測定装置を把持している間アクセス可能である。
【０００８】
検証ユニットは、コントローラに動作可能に結合された複数のオンスイッチを更に含み得、オンスイッチの各々が、検証ユニットの異なるポートと関連付けられ、動作中に、オンスイッチの各々は、オペレータが検証ユニットのそれぞれのポートのうちの１つと相互作用することに応答して起動され、コントローラは、ＡＣ電圧源に、オンスイッチのいずれかの起動の後に所定期間、ＡＣ電圧を提供させる。
【０００９】
検証ユニットは、検証ユニットの基準ノードに電気的に結合された電界検知プローブポートを更に含み得、電界検知プローブポートは、検証ユニットによって検査されている別個の非接触電圧測定装置の試験器具プローブにアクセス可能である。
【００１０】
検証ユニットは、コントローラに動作可能に結合された複数のオンスイッチを更に含み得、オンスイッチの各々が、検証ユニットの異なるポートと関連付けられ、動作中に、オンスイッチの各々は、オペレータが検証ユニットのそれぞれのポートのうちの１つと相互作用することに応答して起動され、コントローラは、ＡＣ電圧源に、オンスイッチのいずれかの起動の後に所定期間、ＡＣ電圧を提供させる。少なくとも１つのＡＣ／ＤＣスイッチは、ＡＣ−ＤＣ変換器回路の入力に結合された第１のＡＣ／ＤＣスイッチと、ＡＣ−ＤＣ変換器回路の出力に結合された第２のＡＣ／ＤＣスイッチと、を含み得る。
【００１１】
検証ユニットは、コントローラに結合された表示器を更に含み得、コントローラは、動作中に、検証ユニットの動作状態の表示を提供するように表示器を制御する。表示器は、複数の発光ダイオード（light emitting diode、ＬＥＤ）を含み得る。
【００１２】
検証ユニットは、ＡＣ出力ノード及びコントローラに動作可能に結合されたフィードバック回路を更に含み得、動作中に、コントローラは、フィードバック回路からフィードバック信号を受け取り、受け取ったフィードバック信号に少なくとも部分的に基づいてＡＣ電圧源の動作を制御する。ＡＣ−ＤＣ変換器回路は、少なくとも１つの整流ダイオード及び少なくとも１つのフィルタコンデンサを含み得る。ＡＣ電圧モードの選択を受け取ると、コントローラは、ＡＣ電圧源のＡＣ出力ノードを接触ＡＣ／ＤＣ正ポートに直接的に電気的に結合するように少なくとも１つのＡＣ／ＤＣスイッチを制御し得、ＤＣ電圧モードの選択を受け取ると、コントローラは、ＡＣ電圧源のＡＣ出力ノードを、ＡＣ−ＤＣ変換器回路を介して接触ＡＣ／ＤＣ正ポートに間接的に電気的に結合するように少なくとも１つのＡＣ／ＤＣスイッチを制御し得る。
【００１３】
別個の電圧測定装置の動作を検査するための検証ユニットは、動作中に、ＡＣ出力ノードでＡＣ電圧を提供する交流（ＡＣ）電圧源と、接触ＡＣ／ＤＣ正ポートと、動作中に、ＡＣ電圧を入力として受け取り、ＤＣ電圧を出力するＡＣ−ＤＣ変換器回路と、ＡＣ出力ノードと接触ＡＣ／ＤＣ正ポートとの間でＡＣ−ＤＣ変換器回路を選択的に電気的に結合する少なくとも１つのＡＣ／ＤＣスイッチと、ＡＣ出力ノードに電気的に結合された電界検知導体と、モード選択スイッチと、モード選択スイッチ、ＡＣ電圧源、及び少なくとも１つのＡＣ／ＤＣスイッチに動作可能に結合された制御回路と、を含み、動作中に、制御回路は、モード選択スイッチを介して、動作のモードの選択を受け取り、動作のモードが、少なくともＤＣ電圧モード又はＡＣ電圧モードを含み、動作のモードの受け取った選択に少なくとも部分的に基づいて少なくとも１つのＡＣ／ＤＣスイッチを制御し、ＡＣ電圧源にＡＣ電圧をＡＣ出力ノードで提供させるとして要約され得る。制御回路は、ＡＣ電圧源に、検証ユニットのポートとのユーザーインタラクションが検出された後、ある期間、ＡＣ出力ノードでＡＣ電圧を提供させ得る。当該期間は、１０秒〜６０秒であり得る。ＡＣ電圧源は、デジタル−アナログ変換器、増幅器、及び変圧器を含み得、デジタル−アナログ変換器の出力は、増幅器の入力に結合され、増幅器の出力は、変圧器の入力に結合され、ＡＣ出力ノードは、変圧器の出力を含む。
【００１４】
検証ユニットは、検証ユニットの基準ノードに電気的に結合された電界検知指ポートであって、電界検知指ポートが、別個の非接触電圧測定装置のオペレータの指に、非接触電圧測定装置を把持している間アクセス可能である、電界検知指ポートと、検証ユニットの基準ノードに電気的に結合された電界検知プローブポートであって、電界検知プローブポートが、別個の非接触電圧測定装置の試験器具プローブにアクセス可能である、電界検知プローブポートと、を更に含み得る。
【００１５】
検証ユニットは、制御回路に結合された表示器を更に含み得、動作中に、制御回路は、検証ユニットの動作状態の表示を提供するように表示器を制御する。
【００１６】
キットは、電圧測定装置と、電圧測定装置の動作を検査するための検証ユニットと、を含み、検証ユニットが、ハウジングと、動作中に、ＡＣ出力ノードでＡＣ電圧を提供する交流（ＡＣ）電圧源と、別個の接触電圧測定装置の試験器具プローブにアクセス可能である接触ＡＣ／ＤＣ正ポートと、動作中に、ＡＣ電圧を入力として受け取り、ＤＣ電圧を出力するＡＣ−ＤＣ変換器回路と、動作中に、ＡＣ電圧源のＡＣ出力ノードを、接触ＡＣ／ＤＣ正ポートに直接的に、又はＡＣ−ＤＣ変換器回路を介して接触ＡＣ／ＤＣ正ポートに間接的に、のいずれか一方で選択的に電気的に結合する少なくとも１つのＡＣ／ＤＣスイッチと、ハウジングのセンサ受入部分でハウジング内に配設された電界検知導体であって、センサ受入部分が、電圧測定装置の少なくとも一部分を受け入れるように構成及び配置され、電界検知導体が、ＡＣ出力ノードに電気的に結合されている、電界検知導体と、モード選択スイッチと、モード選択スイッチ、ＡＣ電圧源、及び少なくとも１つのＡＣ／ＤＣスイッチに動作可能に結合されたコントローラと、を含み、動作中に、コントローラは、モード選択スイッチを介して、動作のモードの選択を受け取り、動作のモードが、少なくともＤＣ電圧モード又はＡＣ電圧モードを含み、動作のモードの受け取った選択に少なくとも部分的に基づいて少なくとも１つのＡＣ／ＤＣスイッチを制御することと、ＡＣ電圧源にＡＣ電圧をＡＣ出力ノードで提供させることと、を行うと、要約され得る。電圧測定装置は、接触電圧測定装置、又は絶縁線内の電圧を絶縁線内の導体とガルバニック接触することなく測定可能である非接触電圧測定装置のうちの少なくとも一方を含み得る。
【図面の簡単な説明】
【００１７】
図面では、同一の参照番号により類似の要素又は作用が識別される。図面における要素の寸法及び相対位置は、必ずしも縮尺どおりに描かれていない。例えば、種々の要素及び角度の形状は必ずしも縮尺どおりに描かれているわけではなく、これらの要素の一部は、図面の明瞭性を向上させるために任意に拡大されかつ位置付けられていてもよい。なお、図示されるような要素の特定の形状は、必ずしも特定の要素の実際の形状に関する任意の情報を伝えることが意図されているわけではなく、単に図面において認識しやすいように選択されていてもよい。
【図１Ａ】図１Ａは図示された一実施形態による、電圧測定装置検証ユニットの斜視図であり、検証ユニットのそばに位置決めされたときに検証される非接触電圧測定装置を示す。
【図１Ｂ】図１Ｂは電圧測定装置検証ユニットの斜視図であり、検証ユニットのセンサ受入部分に位置決めされた非接触電圧測定装置の二股前端を示す。
【図２】図２は電圧測定装置検証ユニットの斜視図であり、その上部分を示す。
【図３】図３は電圧測定装置検証ユニットの斜視図であり、その底部分を示す。
【図４】図４は電圧測定装置検証ユニットの正面立面図である。
【図５】図５は図示された一実施形態による、電圧測定装置検証ユニットの概略ブロック図である。
【図６】図６は電圧測定装置検証ユニットの斜視図であり、検証ユニットの様々な内部構成要素を図示するためにハウジングの前部分が取り外されて示されている。
【発明を実施するための形態】
【００１８】
近年、従来の接触電圧測定装置（例えば、ＤＭＭ）に加えて、試験されている回路とのガルバニック接触を必要とすることなく、簡便で正確な電圧測定を提供するＡＣ電圧測定装置が開発されている。かかる装置は、本明細書では、電界検知非接触、又は単に「非接触」装置と呼ばれ得る。いくつかの用途では、電圧測定装置を使用する技術者が、電圧測定装置の動作を検査するための既知の電圧源を見つけることができない区域にいる場合がある。例えば、技術者が、電源が遮断されなければならないか、又は天候若しくはその他の原因のためにオフラインになった風力発電機の塔内又は遠隔のポンプ場にいることがある。いくつかの用途では、回路についての試験が実行される前に、及びことによるとその後に、既知の電圧源において電圧測定装置の動作を検査又は検証する必要又は要求があることがある。
【００１９】
本開示の実施形態は、有利に携帯型電圧測定装置検証ユニット又は「検証ユニット」を提供し、この検証ユニットは、既知の電圧源がないか、又は全ての既知の電圧源が断たれている状況において、技術者によって使用され得る。少なくともいくつかの実施形態では、検証ユニットは、ＡＣ及び／又はＤＣ接触電圧測定装置（例えば、従来のＤＭＭ）を検証するための機能、並びに非接触又は「電界検知」電圧測定装置を検証するための機能を提供する。以下の説明では、種々の開示の実施形態の完全な理解が得られるように、特定の具体的な詳細について記載する。しかし、実施形態がこれらの具体的な詳細のうちの１つ以上を伴わない、又は他の方法、構成要素、材料などを伴って実施されてよいことを、当業者は理解するであろう。その他の場合では、コンピュータシステム、サーバコンピュータ、及び／又は通信ネットワークに関係する周知の構造は、実施形態の説明を必要以上に不明瞭にすることを避けるためにも、詳細には示されていないか又は記載されていない。
【００２０】
文脈上その他の意味に解すべき場合を除き、以下の明細書及び特許請求の範囲を通して、用語「含む（comprising）」とは用語「含む（including）」と同義であり、包括的であり、つまり限定的ではない（即ち、更なる記載されていない要素又は方法の行為を除外しない）。
【００２１】
本明細書全体の「一実施形態（one implementation）」又は「実施形態（an implementation）」を参照することは、実施形態に関して記述された特定の特徴、構造又は特性が少なくとも１つの実施形態に含まれることを意味する。このため、本明細書全体の種々の場所での語句「一実施形態では（in one implementation）」又は「実施形態では（in an implementation）」は、必ずしも全て同じ実施形態について言及するものではない。なお、特定の特徴、構造、又は特性は、１つ以上の実施形態では任意の好適な方法で組み合わせられてもよい。
【００２２】
本明細書及び添付の特許請求の範囲において使用する際に、単数形「ａ」、「ａｎ」、及び「ｔｈｅ」は、その内容について別段の明確な指示がない限り、複数の指示対象を含む。用語「又は」は、文脈上、別段の明確な指示がない限り、その意味において「及び／又は」を含んで一般的に用いられる、という点にも留意すべきである。
【００２３】
本明細書で提供される見出し及び要約書は、便宜のためだけであり、実施形態の範囲又は意味を説明するものではない。
【００２４】
下記で更に論じるように、本明細書で論じられる検証ユニットの実施形態のうちの少なくともいくつかは、接触及び非接触の電圧測定装置の安全な試験を可能にする携帯型検査済み電圧源を提供する。本開示の検証ユニットは、検査済みＡＣ電圧出力（例えば、交流１００Ｖ、交流１２０Ｖ、交流２４０Ｖ、交流２５０Ｖ）又はＤＣ電圧出力（例えば、直流１００Ｖ、直流１２０Ｖ、直流２４０Ｖ、直流２５０Ｖ）を提供し得、その電圧出力は、固定されてもよく、又は好適なユーザーインターフェース（例えば、スイッチ、ダイヤル、タッチスクリーン）によってユーザー選択可能であってもよい。少なくともいくつかの実施形態では、検証ユニットは、固定のＡＣ電圧（例えば、交流２４０Ｖ）及び固定のＤＣ電圧（例えば、直流２４０Ｖ）を生成するように動作可能である。検証ユニットは、検証ユニットが実際に検証ユニットの規格内で出力電圧を供給しているという表示をユーザーに提供する視覚式表示器（例えば、発光ダイオード（ＬＥＤ）、ディスプレイ）、及び／又は可聴式又は触覚式表示器（例えば、スピーカ、ブザー、振動装置）を含み、それで、ユーザーは、検証ユニットが正常に動作しており、電圧測定装置を試験する準備ができていることを認知することになる。この例では、検証ユニットがいかなる理由（例えば低電圧）であっても所定の電圧出力を提供できない場合に、表示器は、検証ユニットが現在機能していないという信号をユーザーに提供する。
【００２５】
図１Ａ〜図１Ｂは、電圧測定装置検証ユニット１０２が、非接触電圧測定装置と検証ユニットとの間でガルバニック接触を必要とすることなく、非接触電圧測定装置１０４の動作を検査又は検証するために使用され得る、環境１００を示す。図２〜図６は、接触及び非接触の両方の電圧測定装置の動作を検査するために使用されてもよい電圧測定装置検証ユニット又はシステム１０２についての様々な図を示す。
【００２６】
非接触電圧測定装置１０４は、握持部分又は端部１１０と、握持部分の反対側の、本明細書では前端とも称されるプローブ部分又は端部１１２と、を含むハウジング又は本体１０８を含む。ハウジング１０８はまた、非接触電圧測定装置１０４とのユーザーインタラクションを促進するユーザーインターフェース１１４を含むこともできる。ユーザーインターフェース１１４は、任意の数の入力部（例えば、ボタン、ダイヤル、スイッチ、タッチセンサ）、及び任意の数の出力部（例えば、ディスプレイ、ＬＥＤ、スピーカ、ブザー）を含んでよい。非接触電圧測定装置１０４はまた、１つ以上の有線及び／又は無線通信インターフェース（例えば、ＵＳＢ、Ｗｉ−Ｆｉ（登録商標）、Ｂｌｕｅｔｏｏｔｈ（登録商標））を含むこともできる。
【００２７】
少なくともいくつかの実施形態では、プローブ部分１１２は、試験中に絶縁線を受け取る陥凹部分１１６を含んでもよい。陥凹部分１１６は、前端の２つの離間突起１１２ａと１１２ｂとの間のスロットによって画定されてもよい。前端１１２の突起１１２ａ及び１１２ｂは、本明細書では電圧測定装置１０４の「二股部」と呼ばれ得る。プローブ部分１１２は、センサ又は電極を含むことができ、センサ又は電極は、絶縁線が非接触電圧測定装置１０４の陥凹部分１１６内に位置決めされたときに絶縁線に近接して載置される。明瞭のために示されないけれども、センサがハウジング１０８の内部に配設されることにより、センサと別の物体との間の物理的及び電気的接触を防止し得る。
【００２８】
電圧測定装置１０４の通常使用時に、オペレータは、ハウジング１０８の把持部分１１０を把持し、プローブ部分１１２を試験中に絶縁電線に近接して配置することができ、非接触電圧測定装置１０４は、電線内に存在するＡＣ電圧を接地（又は、別の基準ノード）に対して正確に測定することができるようになっている。プローブ端部１１２は、陥凹部分１１６を有すると示されているが、その他の実施形態では、プローブ部分１１２を異なる方法で構成することもできる。例えば、少なくともいくつかの実施形態では、プローブ部分１１２は、選択的に移動可能なクランプ、フック、センサを含む平坦な若しくは円弧の面、又は非接触電圧測定装置１０４のセンサを試験中に絶縁電線に近接して位置決めすることを可能にする他の形式のインターフェースを含むことができる。
【００２９】
少なくともいくつかの実施形態では、オペレータの身体は、アース／接地に対する基準として作用する。本明細書で説明する測定機能は、アースに対して測定を行うだけの用途に限定されない。外部基準は、任意のその他の電位に容量結合することができる。例えば、外部基準が三相システムの別の位相に容量結合された場合、相間電圧が測定される。
【００３０】
以下で更に論じるように、少なくともいくつかの実施形態では、非接触電圧測定装置１０４は、オペレータと接地との間の人体容量をＡＣ電圧測定中に利用することができる。少なくともいくつかの実施形態では、非接触電圧測定装置１０４は、絶縁導体内のＡＣ電圧の測定中に基準ノードに結合可能な試験リード又はプローブを含んでもよい。
【００３１】
検証ユニット１０２は、ハウジング又は本体１１８を含むが、これは、図示した実施形態では、上面１２０、上面の反対側の底面１２２（図３）、正面側壁１２４、正面側壁の反対側の背面側壁１２６、左の側面側壁１２８（図３）、及び左の側面側壁の反対側の右の側面側壁１３０（図２）を有する、概して立方形状を有する。別の実施形態では、検証ユニット１０２は、様々な形状のハウジング又は本体を有してもよい。
【００３２】
ハウジング１１８の上面１２０上で底面１２２の方に、検査動作中に電圧測定装置１０４の前端１１２を受け入れるセンサ受入部分１３２が存在する。センサ受入部分１３２は、中央隆起部分１３２ａ、並びに中央隆起部分のそれぞれ左側面及び右側面に配設された側面下位部分１３２ｂ及び１３２ｃを含む。図２及び図６に示されるように、中央隆起部分１３２ａは、電界検知導体１３４が位置決めされる内部容積を画定する。図１Ｂに最良に示されるように、センサ受入部分１３２は、それぞれ側面下位部分１３２ｂ及び１３２ｃ上に載置されている突起１１２ａ及び１１２ｂ、並びに前端１１２の陥凹部分１１６内に位置決めされた電界検知導体１３４を収容する中央隆起部分１３２ａを有する、電圧測定装置１０４の二股形状前端１１２を受け入れるようにサイズ決め及び寸法決めされる。以下で更に論じるように、検証ユニット１０２は、電界検知導体１３４内でＡＣ電圧を生成するように動作可能であり、ＡＣ電圧電圧測定装置１０４は、前端１１２が、図１Ｂに示されるように検証ユニットのセンサ受入部分１３２に位置決めされたとき、ガルバニック接触なしで測定するように動作可能である。電界検知導体１３４は、配線、打ち抜き金属片などの任意の適切な導体であればよい。少なくともいくつかの実施形態では、電界検知導体１３４は、センサ受入部分１３２の内面に順応するようにサイズ決め及び寸法決めされる打ち抜き金属片を含んでもよい。かかる形状及びサイズは、単一配線と比較して非接触電圧測定装置のセンサとのより良好な結合を提供し得る。
【００３３】
ハウジング１１８の上面１２０又は他の面は、ユーザーインターフェースを含んでもよく、このユーザーインターフェースは、ユーザーが制御機能を入力する（例えば、動作モードを選択する、電圧レベルを選択する、周波数を選択する）ことを可能にする１つ以上の入力（例えば、ボタン、ダイヤル、タッチスクリーン）、及び／又はユーザーに表示（例えば、運転状態）を提供する１つ以上の出力（例えば、光（例えば、ＬＥＤ）、ディスプレイ、スピーカ、ブザー）を含む。図示された実施形態では、ユーザーインターフェースは、３つのＬＥＤ１３６ａ、１３６ｂ、及び１３６ｃ（集合的に、ＬＥＤ１３６）並びにモード選択スイッチ１３８を含む。ユーザーインターフェースが図示した実施形態の上面１２０上に示されているが、ユーザーインターフェースは、ハウジング１１８の外面上のうちの任意のものの１つ以上に配設されてもよいことが理解されるべきである。好適なユーザーインターフェースが、追加又は代替として、検証ユニット１０２と有線又は無線伝達を介して通信する別個の装置（例えば、スマートフォン、タブレットコンピュータ、ラップトップコンピュータなど）に提供されてもよい。
【００３４】
図３に示すように、ハウジング１１８は、また、１つ以上の電池１４２（図５）を選択的に受け入れるハウジング内部の電池小室にアクセスを提供する選択的に取り外し可能な電池出入口１４０を含んでもよい。少なくともいくつかの実施形態では、１つ以上の電池１４２は、４ＡＡ電池を含むが、他の数及びタイプの電池もまた使用されてもよい。他の実施形態では、ハウジング１１８は、１つ以上の充電式電池等の、１つ以上の電池を恒久的に受け入れる電池小室を含んでもよい。
【００３５】
検証ユニット１０２の背面側壁１２６に近接して、上面１２０と底面１２２との間でハウジング１１８を通って延在する孔１４５を画定する取付け点又はストラップ取付け部分１４４が存在する。ストラップ取付け部分１４４によって画定された孔１４５は、そこを通してストラップを取り外し可能に受け入れることができる。ストラップは、検証ユニット１０２が定着物から垂れ下がるように定着物（例えば、設備、ラック）に付着されてもよく、それにより、ユーザーが検証ユニットを保持する必要がない状態で検証ユニットを利用することを可能にして、ユーザーの手を自由にする。
【００３６】
ストラップ取付け部分１４４が、ハウジング１１８の背面側壁１２６の方に位置決めされているように示されるが、他の実施形態では、ストラップ取付け部分は、ハウジングの１つ以上の他の面（例えば、左の側面側壁１２８、右の側面側壁１３０）上に、又はそれらに近接して位置決めされてもよいことが理解されるべきである。更に、ストラップ取付け部分１４４は、ストラップがハウジング１１８に固設されることを可能にする任意の適切な様式に形状決め、サイズ決め、及び寸法決めされる孔を画定してもよい。それに加えて、少なくともいくつかの実施形態では、ストラップ取付け部分１４４は、ハウジング１１８から選択的に取り外し可能であってもよい。例えば、ストラップ取付け部分１４４は、ねじ切部材を含んでもよく、そして、ハウジング１１８は、ハウジング１１８にストラップ取付け部分１４４を固設するためにねじ切部材を選択的に受け入れる、ねじ切孔をその中に含んでもよい。
【００３７】
図４に最良に示されるように、検証ユニット１０２は、４つのポート、即ち、接触ＡＣ／ＤＣ正プローブポート１４６、接触ＡＣ／ＤＣ負プローブポート１４８、電界検知指接触ポート又はタッチパッド１５０、及び電界検知プローブポート１５２を含む。接触ＡＣ／ＤＣ正プローブポート１４６、接触ＡＣ／ＤＣ負プローブポート１４８、及び電界検知プローブポート１５２は、意図しない接触（例えば、オペレータの指による）を最小限にするために陥凹され得る。
【００３８】
接触ＡＣ／ＤＣ正プローブポート１４６は、検証ユニット１０２による接触ＡＣ／ＤＣ電圧出力用の正の端子である。接触ＡＣ／ＤＣ負プローブポート１４８は、検証ユニットによるＡＣ／ＤＣ電圧出力用の低位又は負の端子である。電界検知指接触ポート又はタッチパッド１５０及び電界検知プローブポート１５２は、非接触電圧測定装置の動作を検証している間にオペレータによって使用され得る代替の負極又は低位極のポートとして機能する。電圧測定は、２つの点を必要とする。電界検知非接触モードでは、１つの点が、電圧測定装置１０４の二股部を受け入れるセンサ受入部分１３２の隆起した中央部分又はこぶ１３２ａの内側に位置する電界検知導体１３４である。第２の点は、電界検知指接触ポート若しくはタッチパッド１５０又は電界検知プローブポート１５２のいずれかである。
【００３９】
動作中に、非接触電圧測定装置１０４は、プローブ端１１２の陥凹部分１１６内に位置決めされた配線と基準（例えば、「黒色」）試験リードとの間の電圧差を測定する。通常動作では、非接触電圧測定装置１０４は、配線（即ち、第１の点）のアース（即ち、第２の点）を基準とする電圧を測定する。非接触電圧測定装置の基準試験リードは、アースとの金属対金属接触によって、又はオペレータの身体を通してアースに接続される。非接触電圧測定装置１０４を試験するために検証ユニット１０２を使用するとき、アース基準は存在しない。したがって、検証ユニット１０２は、基準のための電界検知指接触ポート１５０及び電界検知プローブポート１５２を含む。第１の点は、電界検知導体１３４であり、第２の点は、電界検知指接触ポート１５０又は電界検知プローブポート１５２である。
【００４０】
オペレータが接触電圧測定装置（例えば、従来のＤＭＭ）の動作を検証しようとする場合、オペレータは、電圧測定装置の正の試験リード又はプローブを接触ＡＣ／ＤＣ正プローブポート１４６に電気的に結合し、負の試験リード又はプローブを接触ＡＣ／ＤＣ負プローブポート１４８に結合し得る。オペレータは、モード選択スイッチ１３８を最も左の位置に位置決めして（図４に示される）、検証ユニット１０２を接触ＡＣ電圧モードにし得、検証ユニットは、接触ＡＣ／ＤＣ正プローブポート１４６及び接触ＡＣ／ＤＣ負プローブポート１４８にわたってＡＣ電圧を出力する。オペレータはまた、モード選択スイッチ１３８を中央位置に位置決めして（図４に示される）、検証ユニット１０２を接触ＤＣ電圧モードにし得、検証ユニットは、接触ＡＣ／ＤＣ正プローブポート１４６及び接触ＡＣ／ＤＣ負プローブポート１４８にわたってＤＣ電圧を出力する。
【００４１】
オペレータが、図１Ａ及び図１Ｂの非接触電圧測定装置１０４などの非接触電圧測定装置を検証しようとするとき、オペレータは、モード選択スイッチ１３８を最も右の位置に位置決めして、検証ユニット１０２を電界検知非接触ＡＣ電圧モードにし得、検証ユニットは、検証ユニット１０２のセンサ受入部分１３２の中央隆起部分１３２ａの内側に位置決めされた電界検知導体１３４（図２及び図６）内でＡＣ電圧を出力する。オペレータは、その後、非接触電圧測定装置１０４の前端１１２をセンサ受容部分１３２に位置決めし（図１Ｂ参照）、非接触電圧測定装置を把持しながら指を電界検知指接触ポート１５０に接触させるか、又は電圧測定装置の基準プローブを電界検知プローブポート１５２に接続するかのいずれかを行い得る。
【００４２】
少なくともいくつかの実施形態において、ポート１４６、１４８、１５０及び１５２のうちの１つ以上は、検証ユニット１０２をオンにして所定期間（例えば、１０秒、３０秒、６０秒、１０秒より短い時間、６０秒より長い時間、１０〜６０秒の任意の期間など）、電圧を出力させる「オンスイッチ」を含む。図示された例において、ポート１４６、１４８、及び１５０の各々は、それぞれのオンスイッチ１５４（図６）と接触する板ばね１５３（図６）を含むが、これは、プローブ、又はポート１５０に対するオペレータの指によって押されたとき、検証ユニット１０２に、所定期間、モード選択スイッチ１３８によって選択された出力電圧を生成させる。
【００４３】
表示器ＬＥＤ１３６は、検証ユニット１０２がオンになり、選択電圧を出力しているときに表示を行う。具体的には、ＬＥＤ１３６ｂは、検証ユニット１０２が接触ＡＣ／ＤＣ電圧出力を提供していることを表示し、ＬＥＤ１３６ａは、検証ユニットがオペレータの指（即ち、指ポート１５０と接触している指）によって起電された非接触ＡＣ電圧出力を提供していることを表示し、ＬＥＤ１３６ｃは、検証ユニットが電界検知プローブポート１５２に接続された非接触電圧測定装置のプローブによって起電された非接触ＡＣ電圧出力を提供していることを表示する。オンスイッチ１５４のうちの１つが起動された後、ＬＥＤ１３６の全てがオフのままであるとき、これは、検証ユニットの適切な動作のために電池１４２が交換される必要があることをオペレータに示し得る。少なくともいくつかの実施形態では、電池１４２の電位が低すぎて検証ユニット１０２が動作しない場合、ＬＥＤ１３６は、それがオフになる前に短期間（例えば、１秒よりも短く）、一時的に照明され得、これは、電池を交換する必要があることをオペレータに合図する。
【００４４】
図５は、検証ユニット１０２の概略ブロック図を示し、様々なその例示構成要素を示す。検証ユニット１０２は、１つ以上の電池１４２から電力を受け取り得る電源１５８を含む。示されないが、いくつかの実施形態において検証ユニット１０２は、また、ＡＣ電源（例えば、ＡＣ幹線）からＡＣ電力を受け取るＡＣ電源サブシステムを任意選択的に含んでもよい。１つ以上の電池１４２は、任意の好適な充電式又は非充電式電池（例えば、アルカリ、リチウムイオン、亜鉛−炭素、ニッケル−カドミウム、ニッケル−金属水素化物）であってもよい。少なくともいくつかの実施形態では、ＡＣ電源サブシステムは、ＡＣ電力を受け取ってもよく、そしてＤＣ電力を生成してＤＣ電源サブシステムと関係する１つ以上の電池１４２を再充電してもよい。かかる例では、ＡＣ電源サブシステムは、ＡＣ−ＤＣ変換器を含んでもよい。１つ以上の電池１４２は、ハウジング１１８から着脱可能でもよく、又は、充電式電池が利用される実施形態では、１つ以上の電池は、ハウジング内に固定され、検証ユニット１０２をＡＣ電源サブシステムに結合されたＡＣ電源等の好適な電源に接続することによって時々充電されてもよい。
【００４５】
電源１５８は、１つ以上の電池１４２からＤＣ入力を受け取り、かつ１つ以上の電圧供給を検証ユニット１０２の他の構成要素に出力するように動作可能な昇圧ＤＣ−ＤＣ変換器を含み得る。少なくともいくつかの実施形態では、電源１５８は、検証ユニット１０２のコントローラ１５６に直流３．３Ｖ、及び検証ユニットの増幅器１６０に直流１２Ｖを出力するように動作可能である。
【００４６】
コントローラ１５６は、命令の実行をサポートし、１つ以上の記憶装置、Ｉ／Ｏインターフェース、及び通信システムにデータを読み書きすることによって、検証ユニット１０２の計算センターとして機能し得る。コントローラ１５６と関係する記憶装置は、非一過性のプロセッサ可読記憶媒体の１つ以上の形式を含んでもよい。非一過性のプロセッサ可読記憶媒体は、コントローラのプロセッサ等の１つ以上の装置構成要素によってアクセス可能なプログラム及びデータを格納するのに好適な、任意の現在利用可能な又は今後の開発される媒体である。非一過性のプロセッサ可読記憶媒体は、着脱可能又は非着脱可能であってもよく、そして揮発性又は不揮発性であってもよい。非一過性のプロセッサ可読記憶媒体の例としては、ハードドライブ、並びにＲＡＭ、ＲＯＭ、ＥＥＰＲＯＭ、フラッシュタイプのメモリなどが挙げられ得る。本明細書で使用されるとき、プロセッサという用語は、当該技術分野においてコンピュータと呼ばれる集積回路に限定されることなく、とりわけ、マイクロコントローラ、マイクロコンピュータ、マイクロプロセッサ、プログラマブルロジックコントローラ、特定用途向け集積回路、別のプログラマブル回路、上記のものの組み合わせを広く指す。概して、コントローラ１５６は、１つ以上のプロセッサ、記憶装置、バス、入出力インターフェース、通信システム等を含むことにより、検証ユニット１０２の機能を制御してもよい。
【００４７】
コントローラ１５６は、表示器ＬＥＤ１３６又は他のユーザーインターフェースに動作可能に結合され得る。コントローラ１５６はまた、モード選択スイッチ１３８に動作可能に結合され得る。
【００４８】
オンスイッチ１５４（図６参照）は、コントローラ１５６及び電源１５８に結合され得る。オンスイッチ１５４は、オンスイッチ１５４のうちの任意の１つがポート１４６、１５０、又は１５２のうちの１つがオペレータによって（例えば、プローブ又は指と接触することによって）押された結果として起動された（例えば、閉じられた）とき、電源１５８（及び検証ユニット１０２用の他の構成要素）を電源オンにするように動作可能であり得る。コントローラ１５６は、オン時間の追跡を続け、所定期間（例えば、１０秒）後、電源１５８をオフにし得る。したがって、検証ユニット１０２は、通常オフにされ、オンスイッチ１５４のうちの１つの起動の際に所定期間（例えば、１０秒）のみオンにされ、これは、電池１４２が長持ちすることを確実にする。オンスイッチ１５４のうちの１つが起動された後のオン時間の期間は、固定され得るか又はユーザー選択可能であり得る。
【００４９】
電源１５８がオンになったとき、コントローラ１５６は、デジタル−アナログ変換器（digital-to-analog converter、ＤＡＣ）を利用して、電源１５８によって給電される増幅器１６０に正弦波を出力し得る。増幅器１６０は、コントローラ１５６からのＤＡＣ信号を昇圧して昇圧変圧器１６２を駆動するが、これが、ＡＣ出力ノード１７２で特定レベル（例えば、交流２４０Ｖ）まで電圧を昇圧する。少なくともいくつかの実施形態では、増幅器は、例えば、クラスＤ音声増幅器であってもよい。コントローラ１５６、増幅器１６０及び変圧器１６２は、本明細書では、出力ノード１７２でＡＣ電圧を生成するように動作可能なＡＣ電圧源として集合的に参照され得る。
【００５０】
フィードバック回路１６４は、出力ノード１７２に電気的に結合され得る。フィードバック回路１６４は、出力ノード１７２のＡＣ電圧を、コントローラ１５６のアナログ−デジタル変換器（analog-to-digital converter、ＡＤＣ）が受け取るために適切な範囲に分圧し得る（例えば、分圧器を介して）。フィードバック回路１６４はまた、分圧されたＡＣ電圧を整流及びフィルタリングして、安定ＤＣ電圧フィードバック信号を提供する。コントローラ１５６は、受け取ったフィードバック信号を利用して、出力ノード１７２で電圧を監視し、かつ出力電圧を特定レベル（例えば、交流２４０Ｖ）で維持するためにＤＡＣの出力を調節する。
【００５１】
出力ノード１７２は、上記のように、電界検知導体１３４に結合されて、非接触電圧測定装置の検査用の配線を通してＡＣ電圧を提供する。加えて、検証ユニット１０２は、コントローラ１５６によって制御可能なＡＣ／ＤＣスイッチ１７０及び１７４を含む。検証ユニット１０２がＡＣ電圧モードにあるとき、スイッチ１７０及び１７４は、図５に示されるように位置決めされ、出力ノード１７２は、接触ＡＣ／ＤＣ正プローブポート１４６に直接電気的に結合され、接触ＡＣ／ＤＣ正プローブポート１４６及びＡＣ／ＤＣ負プローブポート１４８にわたってＡＣ電圧を提供する。ＤＣ電圧モードがオペレータによって選択されたとき、スイッチ１７０及び１７４は、出力ノード１７２をＡＣ−ＤＣ変換器回路１６８に電気的に結合するが、これは、出力ノードのＡＣ電圧を、接触ＡＣ／ＤＣ正プローブポート１４６及びＡＣ／ＤＣ負プローブポート１４８にわたるＤＣ電圧に変換する。したがって、ＡＣ／ＤＣスイッチ１７０及び１７４は、ＡＣ−ＤＣ回路１６８をＡＣ出力ノード１７２と接触ＡＣ／ＤＣ正プローブポート１４６との間で選択的に結合するように作用する。図示された実施形態において、ＡＣ−ＤＣ変換器回路１６８は、整流ダイオード及びフィルタコンデンサを含むが、異なる実施形態において他の回路が使用されてもよい。スイッチ１７０及び１７４は、本明細書では「ＡＣ／ＤＣスイッチ」とも呼ばれ得、出力ノード１７２を、接触ＡＣ／ＤＣ正プローブポート１４６に直接的に、又はＡＣ−ＤＣ変換器回路１６８を介して接触ＡＣ／ＤＣ正プローブポート１４６に間接的に、選択的に結合し、これにより検証ユニット１０２がＡＣ電圧モードとＤＣ電圧モードとの間で遷移される。
【００５２】
少なくともいくつかの実施形態では、コントローラ１５６は、変圧器１６２の出力ノード１７２を監視して、ＡＣ電圧出力が特定電圧レベルにないときを検出し得る。かかる決定をすると、コントローラ１５６は、出力（例えば、光、ディスプレイ、スピーカ）にユーザーへの視覚式、可聴式、及び／又は触覚式表示を提供させてもよく、この表示は、検証ユニット１０２が適切に機能しておらず、非接触電圧測定装置の動作を検査するために使用してはならないというものである。上記の例において、コントローラ１５６は、オンスイッチ１５４のうちの１つが押された後、表示器ＬＥＤ１３６の全てをオフにし得、検証ユニットが適切に動作していない（例えば、電池１４２を交換する必要がある）ことをオペレータに合図する。上記のように、少なくともいくつかの実施形態では、電池１４２の電位が低すぎて検証ユニット１０２が動作しない場合、ＬＥＤ１３６は、それがオフになる前に短期間（例えば、１秒よりも短く）、一時的に照明され得るが、これは、電池を交換する必要があることをオペレータに合図する。他の実施形態では、他のタイプの合図（例えば、異なる照明パターン）が、電池１４２を交換する必要があることをオペレータに通知するために使用されてもよい。
【００５３】
検証ユニット１０２が複数のユーザー選択可能又は装置選択可能な出力電圧、及び／又は周波数を出力できる実施形態では、コントローラ１５６は、所定の電圧レベル及び／又は所定の周波数レベルを出力するように、ＤＡＣ出力及び／又は増幅器１６０の１つ以上のパラメータを選択的に調節し得る。検証ユニット１０２は、任意の適切な技術を利用することにより、複数の異なる電圧レベル及び／又は周波数を提供し得る。一例として、検証ユニット１０２は、検証ユニットによって出力されるべき所定の電圧レベル及び／又は周波数に基づいて、回路の内外に切り替えられる様々な構成要素を含んでもよい。別の例として、１つ以上の動作パラメータが、検証ユニット１０２によって出力されるべき所定の電圧レベル及び／又は周波数に基づいて選択的に調整されてもよい。
【００５４】
少なくともいくつかの実施形態では、検証ユニット１０２は、ディスプレイ、例えば、液晶ディスプレイ（liquid crystalline display、ＬＣＤ）装置、発光ダイオード（ＬＥＤ）装置、及び／又は有機発光ダイオード（organic light emitting diode、ＯＬＥＤ）装置等を含むユーザーインターフェースを含み得る。ユーザーインターフェースとしては、タッチスクリーンが挙げられ得るが、このタッチスクリーンは、現在既知又は今後開発される任意のタイプのタッチスクリーンであってもよい。例えば、タッチスクリーンは、容量性、赤外線、抵抗性、又は表面音響波（surface acoustic wave）（ＳＡＷ）装置とすることができる。
【００５５】
検証ユニット１０２のユーザーインターフェースは、検証ユニットへの入力を通信する単一の入力装置、又は入力装置の組み合わせを含んでもよい。入力装置は、例えば、ボタン、スイッチ、トリガースイッチ、セレクタ、ロータリスイッチ、又は当業者に既知の別の入力装置を含んでもよい。入力装置は、検証ユニット１０２の動作状態（例えば、オン／オフ）をトグルで切り換えるために使用されてもよく、及び／又は、１つ以上のＡＣ電圧出力レベル（例えば、交流１００Ｖ、交流１２０Ｖ、交流２００Ｖ、交流２４０Ｖ）、及び／又は１つ以上のＡＣ周波数レベル（例えば、５０Ｈｚ、６０Ｈｚ）を選択するために使用されてもよい。
【００５６】
少なくともいくつかの実施形態では、検証ユニット１０２は、非接触電圧測定装置又は接触電圧測定装置のうちの少なくとも１つを含むキットとして提供（例えば、販売）され得る。
【００５７】
前述の詳細な説明では、ブロック図、概略図、及び実施例を使用して、装置及び／又はプロセスの種々の実施形態を説明してきた。このようなブロック図、系統図、及び実施例が１つ以上の機能及び／又は動作を含む限り、このようなブロック図、フロー図、又は実施例内のそれぞれの機能及び／又は動作は、広範囲にわたるハードウェア、ソフトウェア、ファームウェア、又はこれらの実質的に任意の組み合わせにより、個別にかつ／又は集合的に実装することができることが、当業者には理解されるであろう。一実施形態では、特定用途向け集積回路（ＡＳＩＣ）を介して、本発明の主題を実施してよい。しかしながら、当業者は、本明細書で開示する実行例は、全部、一部を問わず、１つ以上のコンピュータ上で実行される１つ以上のコンピュータプログラムとして（例えば、１つ以上のコンピュータシステム上で実行される１つ以上のプログラムとして）、１つ以上の制御装置（例えば、マイクロコントローラ）上で実行される１つ以上のプログラムとして、１つ以上のプロセッサ（例えば、マイクロプロセッサ）上で実行される１つ以上のプログラムとして、ファームウェアとして、又はその実質的に任意の組み合わせとして標準的な集積回路内で同等に実行することができ、ソフトウェア及び／若しくはファームウェアについての回路設計及び／若しくはコード書き込みであれば、十分に、本開示に照らして当該技術分野における当業者の知識の範囲内になることを認識するであろう。
【００５８】
当業者は、本明細書に記載する方法又はアルゴリズムの多くが付加的な行為を採用することができ、一部の行為を省略することができ、かつ／又は行為を指定された順番と異なる順番で実行することができることを、理解するであろう。一例として、少なくともいくつかの実施形態では、電圧測定装置検証ユニットは、命令を実行するためにプロセッサを利用しないことがある。例えば、電圧測定装置検証ユニットは、本明細書で論じられた機能のうちのいくつか又は全てを提供するために組み込まれてもよい。それに加えて、少なくともいくつかの実施形態では、電圧測定装置検証ユニットは、本明細書で論じられた様々な機能を生じさせるか又は開始するためにプロセッサを利用しないことがある。例えば、かかる電圧測定装置検証ユニットは、検証ユニットにＡＣ又はＤＣ電圧を出力させるなどの、ユーザー始動ボタン等の１つ以上の別個の入力に依拠してもよい。
【００５９】
更に、当業者は、本明細書で教示する機構が、種々の形態でプログラム製品として流通可能であり、代表的な実施形態が、流通を実際に実行するために使用される特定の形式の信号担持媒体に関係なく等しく適用されることを、認識するであろう。信号担持媒体の例としては、以下のもの、即ち、フロッピーディスク、ハードディスクドライブ、ＣＤ−ＲＯＭ、デジタルテープ、及びコンピュータメモリなどの記録可能な形式の媒体が挙げられるが、これらに限定されない。
【００６０】
上述した種々の実施形態を組み合わせて、更なる実施形態を提供してもよい。上記の説明を考慮すれば、実施形態へのこれらの変更及びその他の変更を行うことができる。通常、以下の請求項において使用する用語は、明細書及び請求項に開示された特定の実施形態に対する請求項を限定するものと解釈すべきではないが、こうした請求項に権利を与えた等価物の全範囲と共に全ての考えられる実施形態を含むものと解釈すべきである。したがって、請求項は、開示によって制限されるものではない。
【図１Ａ】
2019053052.tif 000003
【図１Ｂ】
2019053052.tif 000004
【図２】
2019053052.tif 000005
【図３】
2019053052.tif 000006
【図４】
2019053052.tif 000007
【図５】
2019053052.tif 000008
【図６】
2019053052.tif 000009
【外国語明細書】
2019053052000001.pdf